(57)【特許請求の範囲】
【請求項１】
エレベータのかご内の壁面に設置され、蓋又は扉を有して開閉可能かつ閉状態で施錠可能であり、内部に各種の操作部を備えるエレベータのかご内運転操作盤であって、
内部の、操作部の領域とは異なる領域に、くびれ部を有する物品の収容部を備え、
収容部は、
物品を収容する収容凹部と、
収容凹部を横断するように、奥側から手前側に立ち上がる立ち上がり片と、
立ち上がり片の先端縁にて開口するようにして、立ち上がり片に形成され、物品のくびれ部を係入するスリットとを備える
エレベータのかご内運転操作盤。
【請求項２】
エレベータのかご内の壁面に設置され、蓋又は扉を有して開閉可能かつ閉状態で施錠可能であり、内部に各種の操作部を備えるエレベータのかご内運転操作盤であって、
内部の、操作部の領域とは異なる領域に、くびれ部を有する物品の収容部を備え、
収容部は、
物品を一端側から挿入可能な通孔を有して奥側に配置される縦板部と、
通孔の周縁にて開口するようにして、縦板部に形成され、物品のくびれ部を係入するスリットとを備える
エレベータのかご内運転操作盤。
【請求項３】
エレベータのかご内搭乗者用操作盤と隣接して設置されるかご内運転操作盤であって、
内部の長手方向におけるかご内搭乗者用操作盤側の端部領域に収容部が設けられる
請求項１又は２に記載のエレベータのかご内運転操作盤。
【請求項４】
収容部は、複数の収容部に分けられ、各収容部に物品が収容可能である
請求項１ないし３のいずれか１項に記載のエレベータのかご内運転操作盤。
【請求項５】
物品は、かご内のプレートやパネル等の板状物を着脱するための着脱工具である
請求項１ないし４のいずれか１項に記載のエレベータのかご内運転操作盤。
【請求項６】
着脱工具は、吸盤と、軸部を介して吸盤と作動的に連結される操作部であって、吸盤を引き上げ操作して吸盤の吸着力を発生させる操作部とを備える吸着具である
請求項５に記載のエレベータのかご内運転操作盤。
【請求項７】
請求項１ないし６のいずれか１項に記載のエレベータのかご内運転操作盤を備える
エレベータ。
【発明の詳細な説明】
【技術分野】
【０００１】
本発明は、エレベータのかご内運転操作盤及びエレベータに関する。
【背景技術】
【０００２】
エレベータのかご内の壁面には、かご内操作盤（以下、単に「操作盤」という。）が設置される。操作盤は、行先階登録ボタンのほか、戸開ボタン及び戸閉ボタンを備える。操作盤は、通常、かご内の出入口の左右の袖壁のいずれか一方の袖壁に設置される。エレベータを利用する人は、操作盤の行先階登録ボタンを押操作し、かごの行先階を登録する。
【０００３】
操作盤は、かご内の側壁にも設置されることがある（特許文献１）。この操作盤には、副操作盤、車椅子利用者用操作盤などがある。副操作盤は、袖壁の操作盤を主操作盤とする操作盤であり、袖壁の操作盤とは反対側の側壁に設置される。車椅子利用者用操作盤は、車椅子利用者のための操作盤であり、袖壁の操作盤とは反対側の側壁に設置される。他方の側壁には、一方の側壁の車椅子利用者用操作盤を主操作盤とする副操作盤が設置されることもある。なお、車椅子利用者用操作盤であるか否かの違いは、登録された行先階におけるかご戸の開放時間の違いである。車椅子利用者用操作盤の行先階登録ボタンを介して登録された行先階におけるかご戸の開放時間は、通常のかご戸の開放時間よりも長く設定され、車椅子利用者は、かごを安全に乗り降りすることができる。
【０００４】
これらの操作盤は、盤面の形態として、箱型タイプとプレートタイプとがある。箱型タイプの操作盤は、厚みが数ｃｍの箱型の盤面がかご内の側壁の壁面から突出するように壁面に取り付けられる。プレートタイプの操作盤は、フェースプレート（表面板）を盤面とする。かご内の側壁には、フェースプレートよりも僅かに小さい開口を有して段差凹部が形成される。プレートタイプの操作盤は、フェースプレートが段差凹部の開口を覆うようにして壁面に取り付けられる。プレートタイプの操作盤によれば、壁面からの出っ張りが無くなり、壁面に対するフラット化が図られ、意匠性が向上する。このため、近年は、プレートタイプの操作盤が増えてきている。
【０００５】
プレートタイプの操作盤は、段差凹部内での係合によって、壁面に固定される。係合手段には、たとえば、ｉ）フェースプレートの裏面又は段差凹部内のいずれか一方に設けられた爪と、いずれか他方に設けられた、板バネを有する挟持部とを備え、挟持部が爪を挟持することにより、挟持部と爪とが摩擦的に係合する構造、ｉｉ）フェースプレートの裏面又は段差凹部内のいずれか一方に設けられた弾性片と、いずれか他方に設けられた受圧面とを備え、弾性片が受圧面に弾性力を付勢することにより、弾性片と受圧面とが摩擦的に係合する構造、ｉｉｉ）フェースプレートの裏面又は段差凹部内のいずれか一方に設けられた係合凸部と、いずれか他方に設けられた係合凹部とを備え、係合凸部及び係合凹部の少なくとも一方が弾性変位可能であり、係合凸部と係合凹部とが凹凸的に係合する構造、ｉｖ）フェースプレートの裏面又は段差凹部内のいずれか一方に設けられた磁石と、いずれか他方に設けられた磁石又は磁性体とを備え、磁石同士又は磁石と磁性体とが磁気的に係合する構造、などがある。
【０００６】
このように、プレートタイプの操作盤は、フェースプレートを引っ張って係合手段による係合を解除しなければ、取り外すことができない。しかし、プレートタイプの操作盤は、壁面からフェースプレートの厚み分しか出っ張りがない。このため、プレートタイプの操作盤は、フェースプレートを掴んで外すことや、ドライバー等の工具をフェースプレートと壁面との間に差し込んで外すことは困難である。また、フェースプレートと壁面とが面一となるよう、壁面にフェースプレートが収まる段差凹部が形成される場合があるが、この場合は、さらに取り外しが困難となる。
【０００７】
そこで、プレートタイプの操作盤を取り外すために、吸盤からなる又は吸盤を有する着脱工具が用いられる。保守員は、フェースプレートの裏面に配置される回路基板や段差凹部内に配置される配線、回路基板などを保守点検するにあたり、着脱工具をフェースプレートの表面に吸着させ、着脱工具を引っ張って、操作盤を取り外すようにしている。なお、特許文献２ないし４は、かご内のプレートやパネル等の板状物を取り外すために吸盤を用いることを開示している。
【先行技術文献】
【特許文献】
【０００８】
【特許文献１】特開２０１３−１０７７３６号公報
【特許文献２】特開平６−１５６９０９号公報
【特許文献３】特開２００７−０６２９０２号公報
【特許文献４】特開２０１０−００１１３４号公報
【発明の概要】
【発明が解決しようとする課題】
【０００９】
このように、プレートやパネル等の板状物を取り外して保守点検する場合、保守員は、着脱工具を携行しなければならなかった。しかし、着脱工具の使用頻度は少なく、保守員は、着脱工具の携行を忘れることもある。そこで、従来は、保守員は、エレベータの機械室や昇降路のピットに着脱工具を保管しておき、保守点検作業のたびに着脱工具を取りに行き、作業終了後に戻しに行くという煩わしいことを行っていた。
【００１０】
これは、着脱工具の好適な保管場所がないことによる問題である。そして、この問題は、着脱工具に限らず、使用頻度は少ないが、かご内あるいは乗場において時として必要となる小物物品についても同様である。
【００１１】
そこで、本発明は、かかる事情に鑑みてなされたもので、エレベータにおいて、小物物品の好適な保管場所を提供することを課題とする。
【課題を解決するための手段】
【００１２】
本発明に係るエレベータのかご内運転操作盤は、
エレベータのかご内の壁面に設置され、蓋又は扉を有して開閉可能かつ閉状態で施錠可能であり、内部に各種の操作部を備えるエレベータのかご内運転操作盤であって、
内部の、操作部の領域とは異なる領域に、くびれ部を有する物品の収容部を備え、
収容部は、
物品を収容する収容凹部と、
収容凹部を横断するように、奥側から手前側に立ち上がる立ち上がり片と、
立ち上がり片の先端縁にて開口するようにして、立ち上がり片に形成され、物品のくびれ部を係入するスリットとを備える
エレベータのかご内運転操作盤である。
【００１３】
また、もう一つの本発明に係るエレベータのかご内運転操作盤は、
エレベータのかご内の壁面に設置され、蓋又は扉を有して開閉可能かつ閉状態で施錠可能であり、内部に各種の操作部を備えるエレベータのかご内運転操作盤であって、
内部の、操作部の領域とは異なる領域に、くびれ部を有する物品の収容部を備え、
収容部は、
物品を一端側から挿入可能な通孔を有して奥側に配置される縦板部と、
通孔の周縁にて開口するようにして、縦板部に形成され、物品のくびれ部を係入するスリットとを備える
エレベータのかご内運転操作盤である。
【００１５】
また、本発明に係るエレベータのかご内運転操作盤の一態様として、
エレベータのかご内搭乗者用操作盤と隣接して設置されるかご内運転操作盤であって、
内部の長手方向におけるかご内搭乗者用操作盤側の端部領域に収容部が設けられる
との構成を採用することができる。
【００１６】
また、本発明に係るエレベータのかご内運転操作盤の他態様として、
収容部は、複数の収容部に分けられ、各収容部に物品が収容可能である
との構成を採用することができる。
【００１７】
また、本発明に係るエレベータのかご内運転操作盤の別の態様として、
物品は、かご内のプレートやパネル等の板状物を着脱するための着脱工具である
との構成を採用することができる。
【００１８】
この場合、
着脱工具は、吸盤と、軸部を介して吸盤と作動的に連結される操作部であって、吸盤を引き上げ操作して吸盤の吸着力を発生させる操作部とを備える吸着具である
との構成を採用することができる。
【００１９】
また、本発明に係るエレベータは、
上記かご内運転操作盤を備える
エレベータである。
【発明の効果】
【００２０】
以上の如く、本発明によれば、小物物品をかご内に保管することができる。
【図面の簡単な説明】
【００２１】
【図１】図１は、本発明の一実施形態に係るエレベータのかご内の出入口付近の外観図である。
【図２】図２は、第１実施形態に係るかご内操作盤の正面図である。
【図３】図３（ａ）は、同かご内操作盤のうち、かご内運転操作盤を中心とした部分であって、かご内運転操作盤の蓋を開いた状態の正面図である。図３（ｂ）は、同部分の側面図である。
【図４】図４（ａ）は、同かご内運転操作盤のうち、収容部を中心とした部分の斜視図である。図４（ｂ）は、同部分であって、同収容部に着脱工具を収容した状態の斜視図である。
【図５】図５（ａ）は、同部分の側面断面図である。図５（ｂ）は、同部分であって、同収容部に同着脱工具を収容した状態の側面断面図である。
【図６】図６（ａ）は、同着脱工具の側面図である。図６（ｂ）は、同着脱工具の一部断面側面図である。図６（ｃ）は、同着脱工具であって、吸着状態の一部断面側面図である。
【図７】図７は、第２実施形態に係るかご内操作盤の正面図である。
【図８】図８（ａ）は、同かご内操作盤のうち、かご内運転操作盤を中心とした部分であって、かご内運転操作盤の蓋を開いた状態の正面図である。図８（ｂ）は、同部分の側面図である。
【図９】図９（ａ）は、同かご内運転操作盤であって、同蓋を開いた状態の斜視図である。図９（ｂ）は、同かご内運転操作盤のうち、収容部を中心とした部分であって、同収容部に同着脱工具を収容した状態の斜視図である。
【図１０】図１０（ａ）は、同部分の側面断面図である。図１０（ｂ）は、同部分であって、同収容部に同着脱工具を収容する過程の側面断面図である。図１０（ｃ）は、同部分であって、同収容部に同着脱工具を収容した状態の側面断面図である。
【図１１】図１１（ａ）は、車椅子利用者用のかご内操作盤の正面図である。図１１（ｂ）は、同かご内操作盤であって、取り外した状態の平面断面図である。図１１（ｃ）は、同かご内操作盤の平面断面図である。図１１（ｄ）は、別形態に係るかご内操作盤の平面断面図である。
【図１２】図１２（ａ）及び（ｂ）は、同着脱工具を用いて同かご内操作盤を取り外す様子の説明図である。
【発明を実施するための形態】
【００２２】
以下、本発明に係るエレベータの一実施形態について、図面を参酌して説明する。
【００２３】
エレベータは、階層を有する建物内において上下方向に延びる昇降路と、昇降路内を昇降するとともに、指定された階層に停止するかごとを備える。図１に示すように、かご１は、かご１内であるかご室２と、かご戸３とを備える。かご戸３は、かご室２の前面に設けられ、開閉して人の乗り降りを可能とする。かご戸３には、両開き式と、片開き式とがある。
【００２４】
かご１は、かご内操作盤６を備える。かご内操作盤６は、かご１内の出入口の左右の袖壁４，４のいずれか一方の袖壁４（本実施形態においては、右側の袖壁４）に設置される。追加的に、かご１は、かご内操作盤７，８を備える。かご内操作盤７は、かご１内の左右の側壁５，５のうち、かご内操作盤６と反対側の側壁５（本実施形態においては、左側の側壁５）に設置される。かご内操作盤８は、他方の壁面５（本実施形態においては、右側の側壁５）に設置される。本実施形態においては、かご内操作盤７，８は、車椅子利用者用操作盤であり、かご内操作盤７は、主操作盤、かご内操作盤８は、副操作盤である。便宜上、以下において、かご内操作盤６は、第１の操作盤といい、かご内操作盤７は、第２の操作盤といい、かご内操作盤８は、第３の操作盤という。
【００２５】
＜第１実施形態＞
次に、第１の操作盤６の第１実施形態について、図２ないし図５を参酌して説明する。
【００２６】
図２に示すように、第１の操作盤６は、かご内搭乗者用操作盤（以下、単に「搭乗者用操作盤」という。）６０と、かご内表示部（以下、単に「表示部」という。）６１と、かご内運転操作盤（以下、単に「運転操作盤」という。）６２とを備える。第１の操作盤６は、たとえばステンレス等の金属製の薄板が化粧板として表面に貼られるほかは、全体的に樹脂成型品により構成される。第１の操作盤６は、縦型の操作盤である。袖壁４には、上下に亘って縦溝（図示しない）が形成され、第１の操作盤６は、この縦溝に着脱自在に取り付けられる。
【００２７】
搭乗者用操作盤６０は、第１の操作盤６の中間部に設けられる。搭乗者用操作盤６０は、行先階登録ボタン６００のほか、戸開ボタン６０１と、戸閉ボタン６０２と、非常ボタン６０３とを備える。追加的に、搭乗者用操作盤６０は、開延長ボタン等、オプションのボタンを備える。表示部６１は、第１の操作盤６の上部に設けられる。表示部６１は、エレベータの運行状況に関する情報を表示するものとして、階床表示部６１０と、かご状態表示部６１１とを備える。搭乗者用操作盤６０及び表示部６１は、エレベータで用いられる一般的なものである。
【００２８】
運転操作盤６２は、搭乗者用操作盤６０と隣接して、第１の操作盤６の下部に設けられる。図３に示すように、運転操作盤６２は、蓋６２０を備える。蓋６２０は、下方にスライド可能であり、蓋６２０が下方にスライドすると、運転操作盤６２の内部が露出する。蓋６２０は、閉状態では、第１の操作盤６の表面（袖壁４の表面と面一）Ｓと面一であるが、開状態では、表面Ｓからはみ出た状態となる。なお、蓋６２０は、錠６２１を備え、閉状態で施錠可能となっている。保守員が保有する鍵で開錠しないと、蓋６２０を開けることはできない。
【００２９】
運転操作盤６２は、内部に、操作部６２２と、収容部６２３とを備える。操作部６２２及び収容部６２３は、第１の操作盤６の表面Ｓよりも奥側に位置する。操作部６２２は、運転のオンオフスイッチ、自動運転・手動運転切替スイッチ、空調のオンオフスイッチ、空調の温度設定スイッチ（ダイヤル）、ファンのオンオフスイッチ、照明のオンオフスイッチ、といったかごの運転に関する各種の操作部を備える。操作部６２２は、運転操作盤が備える一般的なものである。
【００３０】
収容部６２３は、運転操作盤６２のうち、搭乗者用操作盤６０側の端部領域に設けられる。これにより、収容部６２３は、搭乗者用操作盤６０と操作部６２２との間に配置される。収容部６２３は、操作部６２２よりも狭い領域に設けられる。
【００３１】
収容部６２３には、着脱工具として、吸着具が収容される。図６に示すように、吸着具Ｔは、本体Ｔ１と、吸盤Ｔ２と、操作部Ｔ３と、軸部Ｔ４と、ナットＴ５とで構成される。本体Ｔ１は、樹脂製で、傘形状を有する。吸盤Ｔ２は、吸着面とは反対側の面が本体Ｔ１の開口に接するようにして、本体Ｔ１の開口端部に配置される。操作部Ｔ３は、本体Ｔ１の開口端部とは反対側に配置される。軸部Ｔ４は、操作部Ｔ３から延び、本体Ｔ１の中央部に形成された通孔を通って先端にネジ部を有する。ナットＴ５は、吸盤Ｔ２の吸着面とは反対側の面の中央部にインサート成形される。軸部Ｔ４のネジ部は、ナットＴ５に螺合する。操作部Ｔ３を回せば、ナットＴ５が操作部Ｔ３側に引き込まれ、これに伴い、吸盤Ｔ２が引き上げられ、吸盤Ｔ２の吸着力が発生ないし増大する。
【００３２】
図４及び図５に示すように、収容部６２３は、左右の側壁６２３ａ，６２３ａ、上壁６２３ｂ及び下壁６２３ｃの外周壁によって画定される収容凹部である。収容部６２３は、２つの収容部（第１収容部６２３Ａ及び第２収容部６２３Ｂ）を備える。第１収容部６２３Ａ及び第２収容部６２３Ｂは、収容部６２３の中間部に形成される仕切壁６２３ｄにより、区画される。第１収容部６２３Ａ及び第２収容部６２３Ｂは、それぞれ１つの吸着具Ｔを収容可能である。これにより、収容部６２３には、２つの吸着具Ｔ，Ｔが収容可能である。
【００３３】
収容部６２３は、仕切壁６２３ｄと交差するように、すなわち、第１収容部６２３Ａ及び第２収容部６２３Ｂを横断するように、立ち上がり片６２３ｅを備える。立ち上がり片６２３ｅは、各収容部６２３Ａ，６２３Ｂにおいて、奥側から手前側に立ち上がる片である。収容部６２３は、各収容部６２３Ａ，６２３Ｂにおいて、スリットないし切込み（以下、単に「スリット」という。）６２３ｆを備える。スリット６２３ｆは、立ち上がり片６２３ｅの先端縁にて開口するようにして、立ち上がり片６２３ｅに形成される。
【００３４】
スリット６２３ｆは、吸着具Ｔのくびれ部である軸部Ｔ４の直径よりも僅かに大きい幅を有し、吸着具Ｔの軸部Ｔ４を係入可能である。立ち上がり片６２３ｅのうち、スリット６２３ｆの両側縁に沿った部分は、吸着具Ｔ（の操作部Ｔ３）を係止する係止片となる。これにより、吸着具Ｔは、立ち上がり片６２３ｅによって（操作部Ｔ３が）係止されて固定された状態で、収容部６２３に収容される。
【００３５】
このように、本実施形態に係る第１の操作盤６（運転操作盤６２）によれば、吸着具Ｔをかご１内において保管することができる。そして、第２の操作盤７や第３の操作盤８の保守点検作業に際して、運転操作盤６２の蓋６２０を開いて収容部６２３から吸着具Ｔを取り出し、吸着具Ｔを直ちに使用することができる。従来のように、保守点検作業のたびに、エレベータの機械室や昇降路のピットまで吸着具を取りに行き、作業終了後に戻しに行くという煩わしいことが不要となる。これにより、保守点検作業の作業効率を向上することができる。
【００３６】
また、本実施形態に係る第１の操作盤６（運転操作盤６２）によれば、吸着具Ｔを収容するための専用の収容部を設けるのではなく、既存の運転操作盤６２内に収容部が設けられる。このため、専用の収容部を設けることによる、かご１内の構造複雑化及びコストアップを防ぐことができる。
【００３７】
そして、運転操作盤６２の蓋６２０は、通常は施錠され、一般人が内部にアクセスできないようになっている。これにより、保管中の吸着具Ｔが紛失する心配はない。
【００３８】
また、吸着具Ｔは、収容部６２３において、係止片に係止されて固定された状態にある。これにより、かご１の運行や振動の伝播に伴って、吸着具Ｔが収容部６２３内で振動又は遊動して、異音を発生する等を防ぐことができる。
【００３９】
＜第２実施形態＞
次に、第１の操作盤６の第２実施形態について、図７ないし図１０を参酌して説明する。なお、第１実施形態と共通する構成については、第１実施形態の記載のとおりであるとして、説明を省略するものとする。
【００４０】
図７に示すように、第１の操作盤６は、搭乗者用操作盤６０と、表示部６１と、運転操作盤６２とを備える。第１の操作盤６は、全体的に金属製の薄板（板金）により構成される。図８に示すように、運転操作盤６２は、扉６２０を備える。扉６２０は、片開き式であり、開くと、運転操作盤６２の内部が露出する。扉６２０は、閉状態では、第１の操作盤６の表面（袖壁４の表面と面一）Ｓと面一であるが、開状態では、表面Ｓからはみ出た状態となる。なお、扉６２０は、錠６２１を備え、閉状態で施錠可能となっている。
【００４１】
運転操作盤６２は、内部に、操作部６２２と、収容部６２３とを備える。操作部６２２及び収容部６２３は、第１の操作盤６の表面Ｓよりも奥側に位置する。操作部６２２は、運転のオンオフスイッチ、自動運転・手動運転切替スイッチ、空調のオンオフスイッチ、空調の温度設定スイッチ（ダイヤル）、ファンのオンオフスイッチ、照明のオンオフスイッチ、といったかごの運転に関する各種の操作部を備える。操作部６２２は、運転操作盤が備える一般的なものである。
【００４２】
収容部６２３は、運転操作盤６２のうち、搭乗者用操作盤６０側の端部領域に設けられる。これにより、収容部６２３は、搭乗者用操作盤６０と操作部６２２との間に配置される。収容部６２３は、操作部６２２よりも狭い領域に設けられる。
【００４３】
図９及び図１０に示すように、収容部６２３は、２つの収容部（第１収容部６２３Ａ及び第２収容部６２３Ｂ）を備える。第１収容部６２３Ａ及び第２収容部６２３Ｂは、それぞれ１つの吸着具Ｔを収容可能である。これにより、収容部６２３には、２つの吸着具Ｔ，Ｔが収容可能である。
【００４４】
収容部６２３は、前後方向と交差するように、すなわち、第１の操作盤６の表面Ｓと平行に、かつ、第１の操作盤６の表面Ｓよりも奥側に、縦板部６２３ｇを備える。縦板部６２３ｇは、右側又は左側の一方に、通孔６２３ｈを備える。通孔６２３ｈは、吸着具Ｔの一端側の拡大部である操作部Ｔ３の大きさよりも僅かに大きい直径を有し、吸着具Ｔを操作部Ｔ３側から挿入可能である。収容部６２３は、スリット６２３ｉを備える。スリット６２３ｉは、通孔６２３ｈの周縁にて開口するようにして、かつ、縦板部６２３ｇの右側又は左側の他方に延びるようにして、縦板部６２３ｇに形成される。
【００４５】
スリット６２３ｉは、吸着具Ｔのくびれ部である軸部Ｔ４の直径よりも僅かに大きい幅を有し、吸着具Ｔの軸部Ｔ４を係入可能である。縦板部６２３ｇのうち、スリット６２３ｉの両側縁に沿った部分は、吸着具Ｔ（の本体Ｔ１及び操作部Ｔ３の少なくとも一方）を係止する係止片６２３ｊ，６２３ｊとなる。これにより、吸着具Ｔは、縦板部６２３ｇによって（本体Ｔ１及び操作部Ｔ３の少なくとも一方が）係止されて固定された状態で、収容部６２３に収容される。なお、スリット６２３ｉの幅は、通孔６２３ｈの直径よりも小さいことから、通孔６２３ｈ及びスリット６２３ｉは、フラスコのような形状を呈する。
【００４６】
このように、本実施形態に係る第１の操作盤６（運転操作盤６２）によっても、第１実施形態に係る第１の操作盤６（運転操作盤６２）と同様の作用効果を奏する。
【００４７】
次に、第２及び第３の操作盤７，８について、図１１及び図１２を参酌して説明する。なお、第２及び第３の操作盤７，８は、主操作盤か副操作盤かの違いだけであり、実質的には同じである。そこで、以下においては、第２の操作盤７について説明する。
【００４８】
図１１（ａ）に示すように、第２の操作盤７は、第１の操作盤６と同様、搭乗者用操作盤７１と、表示部７２とを備える。第２の操作盤７は、横型の操作盤である点で、第１の操作盤６と異なるが、搭乗者用操作盤７１及び表示部７２の構成及び機能は同じである。
【００４９】
図１１（ｂ）及び（ｃ）に示すように、第２の操作盤７は、プレートタイプの操作盤であり、フェースプレート７０を盤面とする。フェースプレート７０の裏面には、爪７３が設けられる。側壁５の段差凹部５０には、板バネ５１０を有する挟持部５１が設けられる。第２の操作盤７は、挟持部５１が爪７３を挟持して、挟持部５１と爪７３とが摩擦的に係合することにより、側壁５に固定される。
【００５０】
このため、第２の操作盤７は、壁面Ｓからフェースプレート７０の厚み分しか出っ張りがない。また、図１１（ｄ）に示すように、壁面Ｓにフェースプレート７０が収まる段差凹部５２が形成される場合、フェースプレート７０と壁面Ｓとは、面一となる。そこで、第２の操作盤７を取り外すために、図１２に示すように、吸着具Ｔが用いられる。保守員は、フェースプレート７０の裏面に配置される回路基板や段差凹部５０内に配置される配線、回路基板などを保守点検するにあたり、２つの吸着具Ｔ，Ｔをフェースプレート７０の表面の左右２箇所に吸着させ、２つの吸着具Ｔ，Ｔを引いて、第２の操作盤７を取り外す。
【００５１】
なお、本発明は、上記実施形態に限定されるものではなく、本発明の要旨を逸脱しない範囲で種々の変更が可能である。
【００５２】
たとえば、上記各実施形態においては、２つの収容部６２３Ａ，６２３Ｂが設けられ、２つの吸着具Ｔ，Ｔが収容される。しかし、収容部の数及び収容される吸着具の数は、これに限定されるものではない。たとえば、収容部は、１つであり、１つの吸着具が収容されるようにしたり、収容部は、３つ以上であり、３つ以上の吸着具が収容されるようにしてもよい。
【００５３】
また、上記第１実施形態においては、２つの吸着具Ｔ，Ｔは、それぞれ軸心方向が上下となるように収容され、かつ、２つの収容部６２３Ａ，６２３Ｂが横並びに配置されることにより、２つの吸着具Ｔ，Ｔは、横並びに収容される。これにより、運転操作盤６２の高さ寸法が抑えられるという効果がある。しかし、本発明は、これに限定されるものではない。ｉ）立ち上がり片が縦方向に設けられることにより、吸着具は、軸心方向が左右方向となるように収容されること、ｉｉ）立ち上がり片が横方向（水平方向）に設けられることにより、吸着具は、軸心方向が上下方向となるように収容されること、ｉｉｉ）複数の収容部が縦並びに配置されること、ｉｖ）複数の収容部が横並びに配置されること、のそれぞれを適宜組み合わせることができる。
【００５４】
また、上記第２実施形態においては、２つの吸着具Ｔ，Ｔは、それぞれ軸心方向が前後方向となるように収容され、かつ、２つの収容部６２３Ａ，６２３Ｂが横並びに配置されることにより、２つの吸着具Ｔ，Ｔは、横並びに配置される。これにより、運転操作盤６２の奥行寸法が抑えられるという効果がある。しかし、本発明は、これに限定されるものではない。たとえば、スリットが上下方向に形成されることにより、２つの吸着具は、縦並びに配置されるようにしてもよい。
【００５５】
また、上記各実施形態においては、運転操作盤６２は、かご内操作盤６の一部として設けられる。しかし、本発明は、これに限定されるものではない。運転操作盤は、搭乗者用操作盤から離れて独立した操作盤として、かご内の所定の壁面に設置されるものであってもよい。
【００５６】
また、上記各実施形態においては、着脱工具は、吸盤式である。しかし、本発明は、これに限定されるものではない。着脱工具は、マグネット式であってもよい。また、着脱工具に限定されず、他の種類の工具であってもよい。さらには、工具に限定されず、その他の小物物品であってもよい。
【００５７】
また、「面一」、「平行」、「中央部」、「中間部」、「端部」といった形状、部位又は状態を特定する用語は、本発明において、そのもののほか、それに近いないし類するという意味の「略」の概念も含むものである。
【符号の説明】
【００５８】
１…かご、２…かご室、３…かご戸、４…袖壁、５…側壁、５０…段差凹部、５１…挟持部、５１０…板バネ、５２…段差凹部、６…かご内操作盤（第１の操作盤）、６０…かご内搭乗者用操作盤、６００…行先階登録ボタン、６０１…戸開ボタン、６０２…戸閉ボタン、６０３…非常ボタン、６１…かご内表示部、６１０…階床表示部、６１１…かご状態表示部、６２…かご内運転操作盤、６２０…蓋又は扉、６２１…錠、６２２…操作部、６２３…収容部、６２３Ａ…第１収容部、６２３Ｂ…第２収容部、６２３ａ…側壁、６２３ｂ…上壁、６２３ｃ…下壁、６２３ｄ…仕切壁、６２３ｅ…立ち上がり片、６２３ｆ…スリット、６２３ｇ…縦板部、６２３ｈ…通孔、６２３ｉ…スリット、６２３ｊ…係止片、７…かご内操作盤（第２の操作盤）、７０…フェースプレート、７１…かご内搭乗者用操作盤、７１０…行先階登録ボタン、７１１…戸開ボタン、７１２…戸閉ボタン、７１３…非常ボタン、７２…かご内表示部、７２０…階床表示部、７２１…かご状態表示部、７３…爪、８…かご内操作盤（第３の操作盤）、Ｓ…表面、Ｔ…着脱工具（吸着具）、Ｔ１…本体（拡大部）、Ｔ２…吸盤、Ｔ３…操作部（拡大部）、Ｔ４…軸部（くびれ部）、Ｔ５…ナット
【図１】
0006968344.tif 000002
【図２】
0006968344.tif 000003
【図３】
0006968344.tif 000004
【図４】
0006968344.tif 000005
【図５】
0006968344.tif 000006
【図６】
0006968344.tif 000007
【図７】
0006968344.tif 000008
【図８】
0006968344.tif 000009
【図９】
0006968344.tif 000010
【図１０】
0006968344.tif 000011
【図１１】
0006968344.tif 000012
【図１２】
0006968344.tif 000013